(57)【要約】【課題】複数種類のメディアが読み取り可能な装置において、メディアの種類に応じてメディアの挿入口を案内表示する。【解決手段】記録データ処理装置１は、メディアの種類に対応して、メディアを挿入するための複数の挿入口を有し、メディアに記録されたデータを印刷して販売する写真自販機であり、メディア載置台９に載置されたメディアをカメラ１９で撮影することによって、そのメディアの画像データを取得し、取得された画像データからメディアの特徴データ（輪郭線画像データ）を検出し、検出された輪郭線画像データと、メディア判別テーブル１７１に格納された各種メディアの特徴データを照合することにより、前記検出されたメディアの種類を判別する。そして、判別されたメディアを挿入すべき挿入口の位置をタッチパネル１２ａに案内表示する。【選択図】図１
2005184317.tif 000002
【特許請求の範囲】
【請求項１】
メディアの種類に対応して、メディアを挿入するための複数の挿入口を有し、メディアに記録されたデータを処理する記録データ処理装置において、
メディアの種類別にメディアの特徴データを記憶する記憶手段と、
メディアの特徴を検出する検出手段と、
前記検出手段により検出されたメディアの特徴を示すデータと、前記記憶手段に記憶された各種のメディアの特徴データを照合することにより、前記検出されたメディアの種類を判別する判別手段と、
前記判別手段により判別されたメディアを挿入すべき挿入口の位置を案内表示する制御を行う制御手段と、
を備えることを特徴とする記録データ処理装置。
【請求項２】
前記制御手段は、前記判別されたメディアを挿入すべき挿入口の位置を示す画面を表示手段に表示する制御を行うことを特徴とする請求項１に記載の記録データ処理装置。
【請求項３】
前記複数の挿入口の各々には、挿入口を案内するための案内表示手段が備えられ、
前記制御手段は、前記判別されたメディアを挿入すべき挿入口に対応して備えられた案内表示手段を用いて、当該挿入口の位置を案内表示することを特徴とする請求項１又は２に記載の記録データ処理装置。
【請求項４】
メディアの種類に対応して、メディアを挿入するための複数の挿入口を有し、メディアに記録されたデータを処理する記録データ処理装置において、
前記複数の挿入口の各々に設けられ、前記複数の挿入口の何れにもメディアが挿入されていないときは各挿入口を開放状態にするシャッターと、
メディアの種類別にメディアの特徴データを記憶する記憶手段と、
メディアの特徴を検出する検出手段と、
前記検出手段により検出されたメディアの特徴を示すデータと、前記記憶手段に記憶された各種のメディアの特徴データを照合することにより、前記検出されたメディアの種類を判別する判別手段と、
前記判別手段により判別されたメディアの挿入口以外の挿入口のシャッターを閉じるよう制御するシャッター制御手段と、
を備えることを特徴とする記録データ処理装置。
【請求項５】
前記記憶手段は、各種メディアの特徴データとして、メディアの物理的な特性を示すデータを記憶し、
前記検出手段は、メディアの物理的な特性を検出し、
前記判別手段は、前記検出されたメディアの物理的特性を示すデータと、前記記憶手段に記憶された各種メディアの物理的特性データを照合することにより、前記検出されたメディアの種類を判別することを特徴とする請求項１〜４の何れか一項に記載の記録データ処理装置。
【請求項６】
挿入口に挿入されたメディアに記録されたデータを読み出す読出手段と、
前記読出手段により読み出されたデータを印刷する印刷手段と、
を備えることを特徴とする請求項１〜５の何れか一項に記載の記録データ処理装置。
【請求項７】
前記読出手段によりメディアから読み出されたデータを編集する編集手段と、
前記編集手段により編集されたデータを前記メディアに記録する記録手段と、
を備えることを特徴とする請求項６に記載の記録データ処理装置。
【請求項８】
メディアの種類に対応して、メディアを挿入するための複数の挿入口を有し、メディアに記録されたデータを処理する装置を制御するコンピュータに、
メディアの特徴を検出する検出機能と、
前記検出機能により検出されたメディアの特徴を示すデータと、予め記憶された各種のメディアの特徴データを照合することにより、前記検出されたメディアの種類を判別する判別機能と、
前記判別機能により判別されたメディアを挿入すべき挿入口の位置を案内表示する制御を行う制御機能と、
を実現させるためのプログラム。
【請求項９】
メディアの種類に対応して、メディアを挿入するための複数の挿入口と、前記複数の挿入口の各々に設けられ、前記複数の挿入口の何れにもメディアが挿入されていないときは各挿入口を開放状態にするシャッターを有する装置を制御するコンピュータに、
メディアの特徴を検出する検出機能と、
前記検出機能により検出されたメディアの特徴を示すデータと、予め記憶された各種のメディアの特徴データを照合することにより、前記検出されたメディアの種類を判別する判別機能と、
前記判別機能により判別されたメディアの挿入口以外の挿入口のシャッターを閉じるよう制御する制御機能と、
を実現させるためのプログラム。
【発明の詳細な説明】
【技術分野】
【０００１】
本発明は、記録データ処理装置及びプログラムに関する。
【背景技術】
【０００２】
近年、デジタルカメラ等のカメラで撮影された画像を保存するメディアの種類が多くなっていることから、複数種類のメディアが読み取り可能な装置が普及している。例えば、街角や店舗内に設置され、メディアに記録された画像を印刷して販売する写真自販機（プリントベンダー）では、コンパクトフラッシュ（登録商標）、スマートメディア（登録商標）、メモリースティック（登録商標）、ＳＤメモリーカード等の複数のメディアが読み取り可能である。これらの各メディアは、大きさや形状が互いに異なっているため、これら複数種類のメディアが読み取り可能な装置では、メディア毎に、メディアに記録されたデータを読み取るためのドライブが設けられている。このような装置において、各メディアを判別するために、従来より様々な方法が提案されている（例えば、特許文献１参照。）。
【特許文献１】特開平１１−２５９９６６号公報
【発明の開示】
【発明が解決しようとする課題】
【０００３】
しかしながら、従来のメディアの判別方法は、主に、物理的形状が同一で記録容量が異なるメディアを判別する方法であり、物理的形状が異なるメディアを判別する技術は提案されていなかった。従って、上述のような物理的形状が異なる複数種類のメディアが読み取り可能な装置では、メディアが、該当しないドライブのメディアの挿入口に差し込まれてしまうなどの誤操作があった場合、メディア、ドライブを故障させる可能性があった。
【０００４】
本発明の課題は、複数種類のメディアが読み取り可能な装置において、メディアの種類に応じてメディアの挿入口を案内表示することである。
【課題を解決するための手段】
【０００５】
請求項１に記載の発明は、メディアの種類に対応して、メディアを挿入するための複数の挿入口を有し、メディアに記録されたデータを処理する記録データ処理装置において、メディアの種類別にメディアの特徴データを記憶する記憶手段と、メディアの特徴を検出する検出手段と、前記検出手段により検出されたメディアの特徴を示すデータと、前記記憶手段に記憶された各種のメディアの特徴データを照合することにより、前記検出されたメディアの種類を判別する判別手段と、前記判別手段により判別されたメディアを挿入すべき挿入口の位置を案内表示する制御を行う制御手段と、を備えることを特徴としている。
【０００６】
請求項４に記載の発明は、メディアの種類に対応して、メディアを挿入するための複数の挿入口を有し、メディアに記録されたデータを処理する記録データ処理装置において、前記複数の挿入口の各々に設けられ、前記複数の挿入口の何れにもメディアが挿入されていないときは各挿入口を開放状態にするシャッターと、メディアの種類別にメディアの特徴データを記憶する記憶手段と、メディアの特徴を検出する検出手段と、前記検出手段により検出されたメディアの特徴を示すデータと、前記記憶手段に記憶された各種のメディアの特徴データを照合することにより、前記検出されたメディアの種類を判別する判別手段と、前記判別手段により判別されたメディアの挿入口以外の挿入口のシャッターを閉じるよう制御するシャッター制御手段と、を備えることを特徴としている。
【０００７】
請求項８に記載の発明は、メディアの種類に対応して、メディアを挿入するための複数の挿入口を有し、メディアに記録されたデータを処理する装置を制御するコンピュータに、メディアの特徴を検出する検出機能と、前記検出機能により検出されたメディアの特徴を示すデータと、予め記憶された各種のメディアの特徴データを照合することにより、前記検出されたメディアの種類を判別する判別機能と、前記判別機能により判別されたメディアを挿入すべき挿入口の位置を案内表示する制御を行う制御機能と、を実現させるためのプログラムである。
【０００８】
請求項９に記載の発明は、メディアの種類に対応して、メディアを挿入するための複数の挿入口と、前記複数の挿入口の各々に設けられ、前記複数の挿入口の何れにもメディアが挿入されていないときは各挿入口を開放状態にするシャッターを有する装置を制御するコンピュータに、メディアの特徴を検出する検出機能と、前記検出機能により検出されたメディアの特徴を示すデータと、予め記憶された各種のメディアの特徴データを照合することにより、前記検出されたメディアの種類を判別する判別機能と、前記判別機能により判別されたメディアの挿入口以外の挿入口のシャッターを閉じるよう制御する制御機能と、を実現させるためのプログラムである。
【発明の効果】
【０００９】
請求項１及び８に記載の発明によれば、メディアの種類を判別する機能を設け、種類が判別されたメディアの挿入口の位置を案内表示するようにしたことにより、メディアが該当しないドライブ装置に挿入されるという誤操作を防ぐことができ、メディア、ドライブ装置の故障を防ぐことができる。
【００１０】
請求項２に記載の発明によれば、種類が判別されたメディアの挿入口の位置を表示手段に表示することにより、ユーザは、メディアの挿入口の位置を容易に把握することができる。
【００１１】
請求項３に記載の発明によれば、種類が判別されたメディアを挿入すべき挿入口に対応して設けられた案内表示手段を用いて、当該挿入口の位置を案内表示することにより、ユーザは、メディアの挿入口の位置を容易に把握することができる。
【００１２】
請求項４及び９に記載の発明によれば、メディアの種類を判別する機能を設け、種類が判別されたメディアを挿入すべき挿入口のシャッターの開閉を制御するようにしたことにより、メディアが該当しないドライブ装置に挿入されるという誤操作を防止することができる。
【００１３】
請求項５に記載の発明によれば、メディアの物理的特性（サイズ、形状等）を検出し、検出されたメディアの物理的特性からメディアの種類を判別するようにしたことにより、メディアの種類を確実に判別することができる。
【００１４】
請求項６に記載の発明によれば、メディアに記録されたデータを印刷可能にしたことにより、記録データ処理装置の利便性を向上させることができる。
【００１５】
請求項７に記載の発明によれば、メディアから読み出されたデータを編集し、編集されたデータを当該メディアに記録可能にしたことにより、記録データ処理装置の利便性を向上させることができる。
【発明を実施するための最良の形態】
【００１６】
以下、図を参照して、本発明の実施形態について詳細に説明する。
まず、本実施形態における構成について説明する。
【００１７】
図１に、本発明の実施形態に係る記録データ処理装置１の外観を示す。記録データ処理装置１は、例えば、写真店や街角等に設置され、メディアに記録された画像データを印刷して販売する写真自販機（プリントベンダー）であり、図１に示すように、タッチパネル１２ａ、各種のメディアを挿入するためのメディアスロット部２、写真受取口３、紙幣投入口４、硬貨投入口５、返却レバー６、釣銭返却口７、レシート受取口８、メディア載置台９、カメラ１９、対人検出センサ２０が設けられている。カメラ１９は、メディア載置台９に載置されるメディアを上方から撮影可能な位置に配置されている。
【００１８】
図２に、本実施形態の記録データ処理装置１の主要部構成を示す。記録データ処理装置１は、図２に示すように、ＣＰＵ（Central Processing Unit）１０、入力装置１１、表示装置１２、ＲＡＭ（Random Access Memory）１３、伝送制御部１４、金銭授受装置１５、印刷装置１６、記録装置１７、外部メディア部１８、カメラ１９、対人検出センサ２０により構成され、各部は、バス２１により接続される。
【００１９】
ＣＰＵ１０は、記録装置１７に格納されている各種制御プログラムをＲＡＭ１３内の図示しないプログラム格納エリアに展開してこれら各制御プログラムを実行し、処理結果をＲＡＭ１３内のワークエリアに一時的に格納する。また、ＣＰＵ１０は、各種制御プログラムの実行による処理結果を記録装置１７内の指定された保存先に保存する。以下、ＣＰＵ１０による制御動作について説明する。
【００２０】
ＣＰＵ１０は、カメラ１９によるメディアの撮影により取得された画像データからメディアの輪郭線画像データを抽出（検出）することによって、メディアの特徴（物理的特性）を検出する。そして、ＣＰＵ１０は、検出されたメディアの輪郭線画像データと、メディア判別テーブル１７１（図３参照）に格納された各種メディアの輪郭線画像データを照合することにより、撮影されたメディアの種類を判別するメディア判別処理を実行する（図４参照）。このメディア判別処理により、メディアの種類が判別された場合、ＣＰＵ１０は、図５に示すように、表示装置１２の表示画面（タッチパネル１２ａ）に、その判別されたメディアを挿入すべき挿入口の位置を案内するためのメディア挿入位置画面１２１を表示させるとともに、メディアスロット部２上の該当するメディア番号を点灯させ、メディア形状表示を点滅させ、挿入位置案内路２１を、該当する挿入口の位置まで点灯させる。また、このとき、ＣＰＵ１０は、メディアスロット部２に対し、種類が判別されたメディアの挿入口以外の挿入口のシャッターの閉鎖を指示する信号を出力する。
【００２１】
入力装置１１は、表示装置１２のＬＣＤ（Liquid Crystal Display）を覆うように設けられたタッチパネル１２ａを有し、電磁誘導式、磁気歪式、感圧式等の座標読み取り原理でタッチ指示された座標を検出し、検出した座標を位置信号としてＣＰＵ１０に出力する。
【００２２】
表示装置１２は、ＬＣＤ等の表示画面を備え、ＣＰＵ１０から入力される表示制御信号に従って、所要の表示処理を行う。
【００２３】
ＲＡＭ１３は、ＣＰＵ１０により実行される各種制御プログラムや各種アプリケーションプログラムをプログラム格納エリアに展開する。また、ＲＡＭ１３は、入力データ及び上記制御プログラムの実行時に生じる処理結果等のデータを、ワークエリアに一時的に格納する。
【００２４】
伝送制御部１４は、モデム（ＭＯＤＥＭ：MOdulator/DEModulator）、ルータ、ＴＡ（Terminal Adapter）等によって構成され、電話回線、専用線、ＩＳＤＮ回線等の通信回線を介して外部機器と通信を行うための制御を行う。
【００２５】
金銭授受装置１５は、指定されたプリントスタイルやプリント枚数に基づいてプリント料金を算出する。また、金銭授受装置１５は、紙幣投入口４及び／又は硬貨投入口５から投入された金額や偽造を判定し、投入金額とプリント料金との差から返金額を算出し、その返金額に相当する釣銭を釣銭返却口７から返却する。また、金銭授受装置１５は、算出されたプリント料金、投入金額、返金額のデータをＣＰＵ１０に出力する。
【００２６】
印刷装置１６は、単数あるいは複数のプリンタを備え、プリント指定された画像データに応じて変調した光ビームで感光材料（印画紙、シール）を走査露光して潜像を記録し、露光済みの感光材料に湿式の現像処理や乾燥処理を施して、仕上がり写真として写真受取口３に出力する。また、印刷装置１６は、写真プリントによって生じた客との取引内容をレシート用紙に印字し、レシート受取口８に出力する。
【００２７】
記録装置１７は、プログラムやデータ等が予め記憶されている記録媒体を有している。この記録媒体は、磁気的、光学的記録媒体又は半導体等の不揮発性メモリで構成されており、記録装置１７に固定的に設けたもの又は着脱自在に装着するものである。なお、記録装置１７が記憶するプログラム又はデータ等は、その一部又は全部を他の機器からＷＡＮ（Wide Area Network）やＬＡＮ（Local Area Network）等の通信ネットワークを介して伝送制御部１４から受信して記憶する構成にしてもよい。また、記録媒体は、通信ネットワーク上に構築されたサーバやクライアントの記録媒体であってもよい。
【００２８】
この記録装置１７は、図３に示すようなメディア判別テーブル１７１を格納している。メディア判別テーブル１７１は、記録データ処理装置１で読み取り可能なメディアの種類毎に、「メディア名」と「輪郭線画像データ」の項目から構成されている。メディア判別テーブル１７１において、「メディア名」項目は、メディアの種類を示すデータを格納し、「輪郭線画像データ」項目は、対応するメディアの輪郭線の画像データを格納する。
【００２９】
外部メディア部１８は、メディアの種類別に、ドライブ装置１８１、挿入口１８２及びシャッター１８３を備えている。ドライブ装置１８１は、ＣＰＵ１０から入力される指示信号に従って、ドライブ装置１８１内に装填されたメディアに記録されたデータの読み取り動作を行う。また、ドライブ装置１８１は、ＣＰＵ１０から入力される指示信号に従って、ドライブ装置１８１内に装填されたメディアに指定されたデータを書き込む（記録する）動作を行う。メディアの挿入口１８２には、挿入口１８２を開閉するためのシャッター１８３が備えられている。挿入口１８２及びシャッター１８３は、図１に示すメディアスロット部２を構成している。シャッター１８３は、ＣＰＵ１０から入力される指示信号に従って、シャッターの開閉動作を行う。メディアスロット部２の各挿入口１８２の何れにもメディアが挿入されていないときは、各挿入口のシャッター１８３は開放されている。
【００３０】
メディアスロット部２の表面には、図５に示すように、各メディアの挿入口１８２に隣接する位置に、メディアを識別するためのメディア番号（１〜８）が表示されるとともに、各メディアの形状が表示されている。また、メディアスロット部２の表面には、メディアの挿入位置を案内するための挿入位置案内路２１が表示されている。これら、メディア番号、メディアの形状及び挿入案内路２１は、ＣＰＵ１０からの指示信号に従って、ＬＥＤ（Light Emitting Diode）等により点滅、点灯可能になっている。
【００３１】
カメラ１９は、ＣＣＤ（Charged Coupled Device）カメラ等により構成され、ＣＰＵ１０から入力される指示信号により、メディア載置台９に載置されたメディアを撮影し、メディアの画像データを取得する。
【００３２】
対人検出センサ２０は、センサに入射される赤外線の変化量により、センサの検出範囲に侵入した人体を検出し、検出信号（ＯＮ信号）をＣＰＵ１０に出力する。
【００３３】
次に、本実施形態における動作について説明する。
図４は、本実施形態の記録データ処理装置１の動作を説明するためのフロ−チャートである。このフローチャートは、記録データ処理装置１を構成するコンピュータに各機能を実現させるためのプログラムを説明するためのものである。以下では、このプログラムが、ＣＰＵ１０が読み取り可能なプログラムコードの形態で記録媒体に格納されている例で説明するが、全ての機能を記録媒体に格納する必要はなく、必要に応じて、その一部又は全部を、通信ネットワークを介して伝送制御部１４から受信して実現するようにしてもよい。
【００３４】
図４のフローチャートを参照して、記録データ処理装置１において実行されるメディア判別・印刷処理について説明する。
【００３５】
対人検出センサ２０で人が検知されると（ステップＳ１；ＹＥＳ）、人の検知がトリガーとなってカメラ１９の撮影動作が開始され、メディア載置台９に載置されたメディアが撮影され、メディアの画像データ（ビットマップデータ）が取得される（ステップＳ２）。ステップＳ１で取得されたメディア画像データは、ＲＡＭ１３に保存される（ステップＳ３）。
【００３６】
次いで、ステップＳ２において撮影されたメディアの種類を判別するメディア判別処理が行われ（ステップＳ４）、メディアの種類が判別されたか否かが判定される（ステップＳ５）。ステップＳ４のメディア判別処理では、ステップＳ２で取得された画像データからメディアの輪郭線画像データを検出（抽出）し、検出されたメディアの輪郭線画像データと、メディア判別テーブル１７１（図３参照）に格納された各種メディアの輪郭線画像データを照合することによって、撮影されたメディアの種類が判別される。
【００３７】
ステップＳ４のメディア判別処理において、メディア判別テーブル１７１に格納された輪郭線画像データの中に、検出されたメディアの輪郭線画像データと一致するものがなかった場合、メディアの種類が判別できなかったと判定され（ステップＳ５；ＮＯ）、該当するメディアが取り扱い不可能であることを示すエラーメッセージ（エラー報知）が、表示装置１２の表示画面に表示される（ステップＳ６）。なお、音声によってエラーを報知するようにしてもよい。
【００３８】
ステップＳ４のメディア判別処理において、メディア判別テーブル１７１に格納された輪郭線画像データの中に、検出されたメディアの輪郭線画像データと一致するものがある場合、メディアの種類が判別できたと判定され（ステップＳ５；ＹＥＳ）、外部メディア部１８のシャッター１８３のうち、種類が判別できたメディアに対応するシャッターは開放されたままで、その他のメディアに対応するシャッターは閉鎖される（ステップＳ７）。
【００３９】
次いで、タッチパネル１２ａに表示される画面が、図５に示すように、ステップＳ５で判別されたメディアを挿入すべき挿入口の位置を案内するためのメディア挿入位置画面１２１に切り換えられ（ステップＳ８）、メディアスロット部２上で、該当するメディアに対応するメディア形状表示の点滅が開始される（ステップＳ９）。また、このとき、図５に示すように、メディアスロット部２上の挿入位置案内路２１が、該当するメディアの挿入口の位置まで点灯され（ステップＳ１０）、そのメディアのメディア番号が点灯される（ステップＳ１１）。
【００４０】
ユーザにより、シャッターが開放されているドライブ装置に、ステップＳ２で撮影されたメディアの挿入操作があると（ステップＳ１２；ＹＥＳ）、そのメディアはドライブ装置内に自動的に取り込まれ（ステップＳ１３）、ドライブ装置内の所定の位置に載置される。
【００４１】
メディアがドライブ装置内に取り込まれると、そのメディアに記録された画像データが読み出され（ステップＳ１４）、タッチパネル１２ａの画面が、印刷編集画面（図示略）に切り換えられ、ステップＳ１４で読み出された画像データが表示される（ステップＳ１５）。
【００４２】
次いで、メディアスロット部２上で、ステップＳ１４で画像データが読み出されたメディアに対応するメディア形状表示の点滅が停止され（ステップＳ１６）、メディアスロット部２上の挿入位置案内路２１の点灯が停止され（ステップＳ１７）、該当メディアのメディア番号の点灯が停止される（ステップＳ１８）。
【００４３】
次いで、タッチパネル１２ａに表示された印刷編集画面上でのタッチ操作により、印刷編集処理が行われる（ステップＳ１９）。ステップＳ１９の印刷編集処理では、例えば、画像データの明るさ、レイアウト、使用するフレーム、プリント枚数等が指定される。印刷編集処理が終了すると、印刷装置１６により印刷処理が行われる（ステップＳ２０）。
【００４４】
印刷処理が終了すると（ステップＳ２１；ＹＥＳ）、タッチパネル１２ａでのタッチ操作により、ステップＳ１９で編集された画像データをメディアに保存するか否かが指定される（ステップＳ２２）。ステップＳ２２において、編集された画像データをメディアに保存しないように指定された場合（ステップＳ２２；ＮＯ）、そのメディアが載置されたドライブ装置から自動的にメディアが取り出される（ステップＳ２４）。メディア取り出し後、該当するドライブ装置のシャッターが開放され（ステップＳ２５）、本メディア判別・印刷処理が終了する。
【００４５】
ステップＳ２２において、編集された画像データをメディアに保存するように指定された場合（ステップＳ２２；ＹＥＳ）、該当する編集画像データがメディアに書き込まれる（ステップＳ２３）。編集画像データのメディアへの書き込みが終了すると、そのメディアが載置されたドライブ装置から自動的にメディアが取り出される（ステップＳ２４）。メディア取り出し後、該当するドライブ装置のシャッターが開放され（ステップＳ２５）、本メディア判別・印刷処理が終了する。
【００４６】
以上のように、本実施形態の記録データ処理装置１によれば、メディアの種類を判別する機能を設け、種類が判別できたメディアの挿入口の位置を、表示画面及びメディアスロット部２上で案内表示するようにしたことにより、メディアが該当しないドライブ装置に挿入されるという誤操作を防止することができ、メディアやドライブ装置の故障を防ぐことができる。また、該当しないドライブ装置のシャッターを閉鎖し、該当するドライブ装置のみのシャッターを開放したままにすることで、上記誤操作がなくなり、メディアやドライブ装置の故障を防止する効果を更に高めることができる。
【００４７】
<変形例>
上述の実施形態では、メディア載置台９に載置されたメディアをカメラ１９により撮影し、撮影により取得されたメディアの画像データからそのメディアの種類を判別するようにしたが、図６（ａ）に示すように、カメラの種類（機種）毎に使用されるメディアが異なる性質を利用して、メディアが挿入されたカメラを撮影することによって、そのカメラで使用されているメディアを判別するようにしてもよい。
【００４８】
この変形例において、記録装置１７は、図６（ｂ）に示すようなメディア判別テーブル１７２を格納している。このメディア判別テーブル１７２は、記録データ処理装置１で読取可能なメディアの種類毎に、「メディア名」と「カメラ画像データ」の各項目を対応付けて格納する。メディア判別テーブル１７２において、「メディア名」項目は、メディアの種類を示すデータを格納し、「カメラ画像データ」項目は、対応するメディアを使用するカメラの画像データを格納する。
【００４９】
なお、本実施形態及びその変形例における記述内容は、本発明の趣旨を逸脱しない範囲で適宜変更可能である。
【００５０】
例えば、上述の実施形態では、カメラ１９の撮影により取得されたメディアの画像データから輪郭線画像データを抽出することにより、メディアの物理的特性（サイズ、形状）を検出するようにしたが、メディアの物理的特性の検出方法はこれに限定されない。
【００５１】
例えば、水平面の直交する二辺及び鉛直方向に沿って、発光ダイオード等の発光素子を配列し、これら３方向の発光素子の投射光を受光できる位置に、フォトトランジスタ等の受光素子を配列した箱を用意し、この箱にメディアを挿入すると、メディアの形状に応じて発光素子の発光が遮断されるため、受光されない３方向の受光素子の数から、メディアの立体的形状（縦、横、厚み）及びサイズを検出することができる。この方法を適用すると、メディアのサイズ及び立体的形状（縦、横、厚み）を一度に検出することが可能になるため、メディアの種類をより確実に判別することができる。
【００５２】
更に、上述の実施形態では、メディアの物理的特性として、メディアのサイズ、形状等を検出し、検出されたサイズ、形状からメディアの種類を判別するようにしたが、記録データ処理装置１に、メディアの重さを測定する装置を設け、メディアの重さからメディアの種類を判別するようにしてもよい。
【００５３】
また、上述の実施形態では、記録データ処理装置１にメディア載置台９を設け、メディア載置台９に載置されたメディアをカメラ１９で撮影するようにしたが、メディア載置台９を設けずに、ユーザが手に持っているメディアを撮影するようにしてもよい。
【００５４】
更に、上述の実施形態では、種類が判別できたメディアの挿入口を、タッチパネル１２ａ上のメディア挿入位置画面１２１及びメディアスロット部２上で案内表示するようにしたが、メディア挿入位置画面１２１、メディアスロット部２の何れか一方で案内表示するようにしてもよい。
【００５５】
上述の実施形態では、メディアに画像データが記録されているものとしたが、メディアの記録されているデータの種類は特に限定されず、例えば、音楽データ、各種の業務データ等であってもよい。
【図面の簡単な説明】
【００５６】
【図１】本発明の実施形態に係る記録データ処理装置の外観図。
【図２】本実施形態の記録データ処理装置の主要部構成を示すブロック図。
【図３】本実施形態の記録データ処理装置の記録装置に格納されたメディア判別テーブル１７１のデータ構成を示す図。
【図４】本実施形態の記録データ処理装置において実行されるメディア判別・印刷処理を示すフローチャート。
【図５】メディア挿入位置画面及びメディアスロット部の一例を示す図。
【図６】本実施形態の変形例におけるメディアの判別方法を説明するための図。
【符号の説明】
【００５７】
１    記録データ処理装置
２    メディアスロット部
３    写真受取口
４    紙幣投入口
５    硬貨投入口
６    返却レバー
７    釣銭返却口
８    レシート受取口
９    メディア載置台
１０  ＣＰＵ
１１  入力装置
１２  表示装置
１３  ＲＡＭ
１４  伝送制御部
１５  金銭授受装置
１６  印刷装置
１７  記録装置
１７１、１７２  メディア判別テーブル
１８  外部メディア部
１８１  ドライブ装置
１８２  挿入口
１８３  シャッター部
１９  カメラ
２０  対人検出センサ
【図１】
2005184317.tif 000003
【図２】
2005184317.tif 000004
【図３】
2005184317.tif 000005
【図４】
2005184317.tif 000006
【図５】
2005184317.tif 000007
【図６】
2005184317.tif 000008